(57)【要約】【課題】簡便な光学系を備え、複数種類のマイクロチップに対しての汎用性を備え得る光学検出装置の提供。【解決手段】検出対象物質が導入される複数の領域５１が形成され、各領域５１の所定箇所に、照射される光を検出対象物質に集光し、かつ検出対象物質から発せされる光を集光する光学レンズ５２がそれぞれ配設されたマイクロチップ５と、光源１からの光を、全ての光学レンズ５２に対して一括照射する光照射系と、検出対象物質から発せされ、各光学レンズ５２により集光された光を、それぞれ独立に、かつ一括して検出する光検出系と、を備える光学検出装置を提供する。【選択図】図１
2011158419.tif 000002
【特許請求の範囲】
【請求項１】
検出対象物質が導入される複数の領域が形成され、
各領域の所定箇所に、照射される光を検出対象物質に集光し、かつ検出対象物質から発せされる光を集光する光学レンズがそれぞれ配設されたマイクロチップと、
光源からの光を、全ての光学レンズに対して一括照射する光照射系と、
検出対象物質から発せされ、各光学レンズにより集光された光を、それぞれ独立に、かつ一括して検出する光検出系と、を備える光学検出装置。
【請求項２】
前記光検出系は、前記検出対象物質から発せされ、前記各光学レンズにより集光された光を、波長域を選択して透過させる第一の光学フィルタと、
該光を、出射角度を制限して透過させる第二の光学フィルタと、
第一及び第二の光学フィルタを透過した光を、それぞれ独立に、かつ一括して検出するエリアセンサと、を含んで構成される請求項１記載の光学検出装置。
【請求項３】
前記エリアセンサは、ＣＣＤセンサあるいはＣＭＯＳセンサである請求項２記載の光学検出装置。
【請求項４】
前記領域及び前記光学レンズは、各光学レンズが前記光源からの光の照射領域内に密に配列するように、各領域の所定箇所に配設されている請求項３記載の光学検出装置。
【請求項５】
前記光照射系は、前記光源からの光を平行光とするコリメータレンズを含んで構成され、
前記領域及び前記光学レンズは、各光学レンズが平行光の照射領域内に密に配列するように、各領域の所定箇所に配設されている請求項４記載の光学検出装置。
【請求項６】
前記光学レンズは、マイクロチップと一体的に成形されて前記各領域の所定箇所に配設されている請求項５記載の光学検出装置。
【請求項７】
前記領域は、前記検出対象物質が電気泳動される流路であり、電気泳動解析装置として構成された請求項１〜６のいずれか一項に記載の光学検出装置。
【発明の詳細な説明】
【技術分野】
【０００１】
本発明は、光学検出装置に関する。より詳しくは、マイクロチップ上に配設された複数の領域に物質を導入し、該物質を光学的に検出する光学検出装置に関する。
【背景技術】
【０００２】
近年、半導体産業における微細加工技術を応用し、シリコンやガラス製の基板上に化学的及び生物学的分析を行うためのウェルや流路を設けたマイクロチップが開発されてきている。これらのマイクロチップは、例えば、液体クロマトグラフィーの電気化学検出器や医療現場における小型の電気化学センサなどに利用され始めている。
【０００３】
このようなマイクロチップを用いた分析システムは、μ−ＴＡＳ（micro-Total-Analysis System）やラボ・オン・チップ、バイオチップ等と称され、化学的及び生物学的分析の高速化や高効率化、集積化あるいは分析装置の小型化を可能にする技術として注目されている。
【０００４】
μ−ＴＡＳは、少量の試料で分析が可能なことや、マイクロチップのディスポーザブルユーズ（使い捨て）が可能なことから、特に貴重な微量試料や多数の検体を扱う生物学的分析への応用が期待されている。
【０００５】
μ−ＴＡＳの応用例として、マイクロチップ上に配設された複数の領域内に物質を導入し、該物質を光学的に検出する光学検出装置がある。このような光学検出装置としては、マイクロチップ上の流路内で複数の物質を電気泳動により分離し、分離された各物質を光学的に検出する電気泳動装置や、マイクロチップ上のウェル内で複数の物質間の反応を進行させ、生成する物質を光学的に検出する反応装置（例えば、リアルタイムＰＣＲ装置）などがある。
【０００６】
例えば、特許文献１には、「被分析試料を含む流体が流動可能な複数の分析流路と、前記複数の分析流路の全てと交差するように設けられた光導波路と、前記光導波路に光を供給する励起用光源と、前記光導波路を通して前記励起用光源からの前記光を前記複数の分析流路内に導いた際に当該複数の分析流路内において発せられた蛍光を検出する複数の光検出器と、からなることを特徴とする電気泳動装置」が開示されている。この電気泳動装置では、複数の分析流路と光導波路はマイクロチップに、複数の光検出器はチップを支持するプラットフォームに、それぞれ設けられている（当該文献図１参照）。
【先行技術文献】
【特許文献】
【０００７】
【特許文献１】特開２００６−４７１５０号公報
【発明の概要】
【発明が解決しようとする課題】
【０００８】
従来、マイクロチップを用いた電気泳動装置や反応装置などの光学検出装置では、マイクロチップ上に配設された複数の領域に対して、光源あるいは光検出器の少なくとも一方を複数設けたものが一般的である。例えば、上記特許文献１に開示される電気泳動装置では、複数の分析流路に対して一つの光導波路により光を照射できるものの、分析流路内からの発せられる蛍光の検出は、各分析流路に対して個別に設けられた複数の光検出器により行っている。
【０００９】
このように、マイクロチップ上に配設された複数の領域に対して、複数の光源あるいは光検出器を設けた場合、装置の大型化や高コスト化の要因となっていた。また、マイクロチップ上の領域の配設位置によって、光源からの光の照射位置や光検出器の位置などが決定されるため、マイクロチップとこれを搭載可能な装置との関係に制限があり、複数種類のマイクロチップに対して汎用性がある装置を構成することは難しかった。
【００１０】
そこで、本発明は、簡便な光学系を備え、複数種類のマイクロチップに対しての汎用性を備え得る光学検出装置を提供することを主な目的とする。
【課題を解決するための手段】
【００１１】
上記課題解決のため、本発明は、検出対象物質が導入される複数の領域が形成され、各領域の所定箇所に、照射される光を検出対象物質に集光し、かつ検出対象物質から発せされる光を集光する光学レンズがそれぞれ配設されたマイクロチップと、光源からの光を、全ての光学レンズに対して一括照射する光照射系と、検出対象物質から発せされ、各光学レンズにより集光された光を、それぞれ独立に、かつ一括して検出する光検出系と、を備える光学検出装置を提供する。
この光学検出装置において、前記光検出系は、前記検出対象物質から発せされ、前記各光学レンズにより集光された光を、波長域を選択して透過させる第一の光学フィルタと、該光を、出射角度を制限して透過させる第二の光学フィルタと、第一及び第二の光学フィルタを透過した光を、それぞれ独立に、かつ一括して検出するエリアセンサと、を含んで構成されることが好ましい。この場合、前記エリアセンサは、ＣＣＤセンサあるいはＣＭＯＳセンサとすることが好適となる。
また、この光学検出装置において、前記領域及び前記光学レンズは、各光学レンズが前記光源からの光の照射領域内に密に配列するように各領域の所定箇所に配設され、前記光照射系が、前記光源からの光を平行光とするコリメータレンズを含んで構成される場合には、各光学レンズが平行光の照射領域内に密に配列するように各領域の所定箇所に配設されていることが好ましい。
さらに、この光学検出装置において、前記光学レンズは、マイクロチップと一体的に成形されて前記各領域の所定箇所に配設されていることが好適となる。
この光学検出装置は、前記領域を、前記検出対象物質が電気泳動される流路とし、電気泳動解析装置として好適に用いられ得る。
【発明の効果】
【００１２】
本発明により、簡便な光学系を備え、複数種類のマイクロチップに対しての汎用性を備え得る光学検出装置が提供される。
【図面の簡単な説明】
【００１３】
【図１】本発明に係る光学検出装置の構成を説明するための模式図である。（Ａ）は上面図、（Ｂ）は側面図を示す。
【図２】マイクロチップ５の構成を説明するための斜視模式図である。
【図３】本発明に係る光学検出装置の光検出系の変形例を説明するための側面模式図である。
【図４】マイクロチップ５の成形方法の一例を説明する断面模式図である。
【発明を実施するための形態】
【００１４】
以下、本発明を実施するための好適な形態について図面を参照しながら説明する。なお、以下に説明する実施形態は、本発明の代表的な実施形態の一例を示したものであり、これにより本発明の範囲が狭く解釈されることはない。
【００１５】
１．光学検出装置の光学系構成
図１に、本発明に係る光学検出装置の構成を示す。（Ａ）は上面模式図、（Ｂ）は側面模式図を示す。本発明に係る光学検出装置Ａは、大略、光源１及びコリメータレンズ２、光学フィルタ３，４，６及びエリアセンサ７を含んでなる光学系と、複数の流路５１が形成されたマイクロチップ５と、から構成されている。さらに、光学系は、光源１からの光をマイクロチップ５の所定領域に導光する、光源１及びコリメータレンズ２、光学フィルタ３，４を含んでなる光照射系と、マイクロチップ５の所定領域からの光をエリアセンサ７に導光する、光学フィルタ４，６及びエリアセンサ７を含む光検出系と、に分けられる。光学検出装置Ａは、マイクロチップ５の流路５１に導入される検出対象物質に光を照射し、発生する光を検出することにより、該物質の検出、測定あるいは分析等を行うものである。
【００１６】
また、図２には、マイクロチップ５の構成を示す。マイクロチップ５には、検出対象物質が導入される複数の流路５１が形成されている。流路５１は、内部に検出対象物質を導入するための不図示の供給口と、必要に応じて検出対象物質を外部に排出するための不図示の排出口を有する。各流路５１の所定箇所には、光源１からの照射される光を、内部に導入された検出対象物質に集光し、かつ、光の照射によって検出対象物質から発せられる光を集光する光学レンズ５２が配設されている。
【００１７】
以下、光学検出装置Ａの構成を、光源から発せられた光の進行方向に従って順に説明する。
【００１８】
まず、光源１からの光は、コリメータレンズ２により平行光とされる。光源１は、特に限定されないが、発せられる光の指向性や収束性が良好なものが望ましく、好適には半導体レーザ（ＬＤ）光源又は発光ダイオード（ＬＥＤ）光源が用いられる。ＬＤ光源やＬＥＤ光源では、照射光（レーザ光）の高速かつ高精度なエネルギー制御が可能である。
【００１９】
コリメータレンズ２により平行光とされ、光学フィルタ３を透過した光は、光学フィルタ４により反射され、マイクロチップ５の所定領域（図２中、点線で囲った領域Ｒ参照）に照射される。光学フィルタ３は、光源１からの光を、波長域を選択して透過させる波長フィルタである。光学フィルタ３は、検出対象物質及びその励起波長に応じて適当な透過波長域を有するものが用いられる。光学フィルタ４は、光源１からの光を反射し、かつ、マイクロチップ５の流路５１内の検出対象物質から発生する光を波長選択的に透過させるミラーである。なお、光学検出装置Ａにおいて、光学フィルタ３は必須の構成とはならないものとする。
【００２０】
光学フィルタ４により反射された平行光の照射領域（領域Ｒに対応）内には、光学レンズ５２が配列されており、平行光は、全ての光学レンズ５２に対し一括して照射される。なお、ここでは、マイクロチップ５上に８つの流路５１を形成し、光学レンズ５２を各流路５１に一つずつ設けて平行光の照射領域Ｒに配設する場合を説明した。マイクロチップ５上に形成される流路５１の数は、特に限定されないものとする。また、各流路５１に形成される光学レンズ５２の数は、特に限定されず、例えば、各流路５１の異なる２以上の位置にそれぞれ光学レンズ５２を設けてもよい。ただし、各流路５１に設けられた光学レンズ５２は、全て平行光の照射領域Ｒ内に配列されていることが必要である。
【００２１】
光学レンズ５２に照射された光は、流路５１に導入された検出対象物質に対して集光される。この光の照射により、検出対象物質から光が発生する。発生する光は、検出対象物質が、照射される光を励起光として励起されることによって放射する蛍光とすることができる。検出対象物質の励起のため、照射される光の波長域は、検出対象物質の励起波長に応じて適当な波長域とされる。なお、照射される光の波長域は、上述の光学フィルタ３によって選択できる。
【００２２】
検出対象物質から発生した光（蛍光）は、光学レンズ５２によって集光され、光学フィルタ４及び光学フィルタ６を透過して、エリアセンサ７に導光され、検出される。なお、光学フィルタ４は、上述の通り、検出対象物質から発生する光を波長選択的に透過させるものである。検出対象物質から発生する光を波長選択的に透過させる機能は、光学フィルタ６に付与してもよい。あるいは、光学フィルタ４とエリアセンサ７との間に、光学フィルタ６とは別個の光学フィルタを配置し、検出対象物質から発生する光の波長を選択させてもよい。
【００２３】
エリアセンサ７は、ＣＣＤセンサあるいはＣＭＯＳセンサとされ、各流路５１内の検出対象物質から発生し、各光学レンズ５２により集光された蛍光を、それぞれ独立に、かつ一括して検出し、電気信号へと変換する。光学検出装置Ａは、エリアセンサ７からの電気信号に基づいて、各流路５１内の検出対象物質の検出や、定量等の分析を行う。
光学検出装置Ａは、一例として、分離材を充填した流路５１に検出対象物質を導入し、流路５１の両端間に電圧を印加することにより分離される検出対象物質を検出するための電気泳動解析装置として好適に応用される。この場合、流路５１内を移動し、光学レンズ５２の配設位置を順次通過する検出対照物質が、光学系によって検出される。
【００２４】
エリアセンサ７は、光学レンズ５２により集光された蛍光を、２次元で検出するため、それぞれの蛍光強度を個別に、かつ一度に検出することができるが、この際、光学レンズ５２からエリアセンサ７に導光される蛍光同士が互いに干渉すると、蛍光強度の検出信号にクロストークが発生する。
【００２５】
これを防止するため、光学検出装置Ａの光検出系では、光学レンズ５２とエリアセンサ７との間に、光学レンズ５２により集光され、出射されてくる光の出射角度（あるいは進行角度）を制限して透過させるための光学フィルタ６を配置している。光学フィルタ６は、入射する光の中から規定角度で入射する光のみを透過させて、それ以外の光を遮断する角度フィルタであり、光学レンズ５２から出射される光のうち、エリアセンサ７の検出面に垂直に入射する光のみを透過させる。この光学フィルタ６により、光学レンズ５２からエリアセンサ７に導光される蛍光同士が互いに交差し、干渉することを排除できる。
【００２６】
光学フィルタ６の配設位置は、光学レンズ５２とエリアセンサ７との間であれば特に限定されず、光学レンズ５２と波長フィルタ４との間に配設してもよい。光学フィルタ６を光学レンズ５２に近接した位置に配置するほど、光学レンズ５２からの出射光の出射角度を制限する効果を高めることができる。また、図３に示すように、光学レンズ５２と波長フィルタ４との間に光学フィルタ６２を、波長フィルタ４とエリアセンサ７との間に光学フィルタ６１を配し、それぞれにおいてエリアセンサ７の検出面に入射する光の進行方向を制限することで、エリアセンサ７に導光される蛍光同士の干渉を一層確実に防止することができる。
【００２７】
また、エリアセンサ７に導光される蛍光同士の干渉を防止するためには、マイクロチップ５上における光学レンズ５２同士の配設間隔を、５００μｍ以上とすることが有効となる。さらに、光学レンズ５２の直径は、３００μｍ〜１．５ｍｍ程度とすることが好ましい。
【００２８】
このように、光学検出装置Ａでは、マイクロチップ５上の所定領域Ｒに配列された複数の光学レンズ５２に一括して光照射を行い、各流路５１内の検出対象物質から発生した蛍光をエリアセンサ７によって一括して検出する構成とされている。そのため、一つの光源と一つの光検出器によって、マイクロチップ上に配設された複数の流路５１内の検出対象物質の検出を行うことが可能である。従って、光学検出装置Ａでは、光学系を非常に簡便に構成できる。
【００２９】
さらに、光学検出装置Ａでは、光学レンズ５２が、光学フィルタ４により反射された平行光の照射領域Ｒ内に配列されている限り、各流路５１内の検出対象物質から発生した蛍光をそれぞれ独立に検出できる。そのため、マイクロチップ５上での流路５１の配設位置や光学レンズ５２の配設位置は、チップ上における光の照射領域Ｒ内において任意に設定することが可能である。従って、光学検出装置Ａでは、マイクロチップ５上での流路５１の配設位置や光学レンズ５２の配設位置を、照射領域Ｒ内において種々に設計した複数種類のマイクロチップ５を用いて、分析を行うことができる。
【００３０】
この場合、光学レンズ５２は、チップ上における光の照射領域Ｒ内において、上述した配設間隔を維持する範囲で可能な限り密に配列されるように、流路５１の配設位置や光学レンズ５２の配設位置を設計することが好ましい。これにより、一度により多くの検出対象物質の検出を行うことができる。
【００３１】
２．マイクロチップの成形方法
光学レンズ５２は、流路５１を構成する基板層上に、基板層とは別部材として、各流路５１の所定箇所に配設することもできるが、好ましくは、基板層と一体に成形されて配設される。
【００３２】
図４に、マイクロチップ５の成形方法の一例を示す。
【００３３】
マイクロチップ５の材質は、ガラスや各種プラスチック（ＰＰ，ＰＣ，ＣＯＰ、ＰＤＭＳ）とすることができる。マイクロチップ５の材質は、光透過性を有し、自家蛍光が少なく、波長分散が小さいために光学誤差の少ない材質を選択することが好ましい。
【００３４】
マイクロチップの光透過性を維持するため、その表面には光ディスクに用いられる、いわゆるハードコート層を積層することが望ましい。マイクロチップの表面、特に光学検出部表面に指紋等の汚れが付着すると、透過光量が減少して、光学分析精度が低下するおそれがある。マイクロチップの表面に透明性及び防汚性に優れたハードコート層を積層することで、このような分析精度の低下を防止できる。
【００３５】
ハードコート層は、通常使用されるハードコート剤を用いて製膜でき、例えば、フッ素系又はシリコン系防汚添加剤等の指紋付着防止剤を添加したＵＶ硬化型ハードコート剤等を使用して製膜できる。特開２００３−１５７５７９号公報には、ハードコード剤として、活性エネルギ線によって重合しうる重合性官能基を２個以上有する多官能性化合物（Ａ）、メルカプト基を有する有機基と加水分解性基または水酸基とがケイ素原子に結合しているメルカプトシラン化合物で表面修飾された平均粒径１〜２００ｎｍの修飾コロイド状シリカ（Ｂ）、および、光重合開始剤（Ｃ）を含む活性エネルギ線硬化性組成物（Ｐ）が開示されている。
【００３６】
マイクロチップ５に配設される流路５１や光学レンズ５２、不図示の供給口や排出口等の成形は、ガラス製基板層のウェットエッチングやドライエッチングによって、またプラスチック製基板層のナノインプリントや射出成型、切削加工によって行うことができる。そして、図４に示すように、光学レンズ５２を形成した基板層５ａと、流路５１等を形成した基板層５ｂと、を貼り合せることで、マイクロチップ５を形成することができる。基板層の貼り合せは、例えば、熱融着、接着剤、陽極接合、粘着シートを用いた接合、プラズマ活性化結合、超音波接合等の公知の手法により行うことができる。
【００３７】
このように、光学レンズ５２を、流路５１を構成する基板層５ａ，５ｂと一体に成形して配設することで、各流路５１に対する光学レンズ５２の位置決めを容易かつ正確に行うことができる。光学レンズ５２は、球面又は非球面レンズとでき、回折型レンズ（フレネルレンズ）とすることが好適である。
【００３８】
なお、上記では、マイクロチップ５上に形成され、検出対象物質が導入される領域を、流路５１として説明したが、この領域は、ウェルなどの任意形状とされたものであってよい。
【００３９】
また、上記では、光検出装置Ａを、分離材を充填した流路５１に検出対象物質を導入し、流路５１の両端間に電圧を印加することにより検出対象物質を分離して検出する電気泳動解析装置として説明した。しかし、光検出装置Ａは、マイクロチップ上のウェル内で複数の物質間の反応を進行させ、生成する物質を光学的に検出する反応装置（例えば、リアルタイムＰＣＲ装置）などとしても好適に応用が可能である。リアルタイムＰＣＲ装置とする場合、ＰＣＲ反応を進行させるための温度制御手段を設け、各ウェルに配設された光学レンズ５２を介して、ウェル内部で増幅される核酸鎖を光学系に検出する。
【産業上の利用可能性】
【００４０】
本発明に係る光学検出装置は、光学系を非常に簡便に構成でき、搭載可能なマイクロチップの設計に一定の幅を持たせることができる。そのため、本発明に係る光学検出装置は、電気泳動装置や反応装置として応用され、装置の低コスト化と汎用性の向上に寄与し得る。
【符号の説明】
【００４１】
１  光源
２  コリメータレンズ
３  光学フィルタ
４  光学フィルタ（第一の光学フィルタ）
５  マイクロチップ
５ａ，５ｂ  基板層
５１  流路
５２  光学レンズ
６，６１，６２  光学フィルタ（第二の光学フィルタ）
７  エリアセンサ
【図１】
2011158419.tif 000003
【図２】
2011158419.tif 000004
【図３】
2011158419.tif 000005
【図４】
2011158419.tif 000006